(57)【特許請求の範囲】
【請求項１】
映像出力装置であって、
外部機器から送信された映像データを受信する受信手段と、
前記受信手段によって受信された映像データに対応する映像を出力する出力手段と、
光源から前記出力手段への光の供給を開始させるための指示が入力されてから起動時間が経過するまでの期間に、前記外部機器から前記映像出力装置への映像データの送信を停止させるための信号を前記外部機器に送信するための制御を行い、前記期間が経過した後に、前記外部機器から前記映像出力装置への映像データの送信を開始させるための信号を前記外部機器に送信するための制御を行う制御手段と
を有し、
前記外部機器から前記映像出力装置への映像データの送信が行われている場合に、前記映像出力装置に映像データを送信する機器を前記外部機器から他の機器に切り替えるための指示が入力された場合、前記制御手段は、前記外部機器から前記映像出力装置への映像データの送信を停止させるための信号を前記外部機器に送信するための制御と、前記他の機器から前記映像出力装置への映像データの送信を開始させるための信号を前記他の機器に送信するための制御とを行う
ことを特徴とする映像出力装置。
【請求項２】
前記出力手段は、前記受信手段によって受信された映像データに対応する映像をレンズを介して出力することを特徴とする請求項１に記載の映像出力装置。
【発明の詳細な説明】
【技術分野】
【０００１】
本発明は、外部機器から送信された映像データに対応する映像を出力することができる映像出力装置に関する。
【背景技術】
【０００２】
近年、テレビの高画素化と液晶技術の発展により、家庭内でも大画面でスポーツや映画番組を鑑賞することが可能になっている。このような環境の変化を受け、大型スクリーンを用いた液晶プロジェクタなどの投影機器の需要も増え、高価な大画面液晶プロジェクタだけでなく、低価格で気軽に楽しむことの可能な家庭用プロジェクタも市場規模を広げている。
【０００３】
ところで、業務用液晶プロジェクタや家庭用液晶プロジェクタで使用される光源は、電源投入してから安定した光量を出力するまでに時間がかかるという性質がある。そのため、ユーザは、電源が投入されてから実際に映像表示が開始されるまで待たねばならない。
【０００４】
また、上記の投影機器に映像入力装置を接続するには、有線接続だけでなく、無線を用いた接続方法もある。例えば無線接続の場合、下記のような通信制御方法が提案されている。すなわち、投影機器が自機器に接続された映像入力装置を検出して、該検出された映像入力装置に投影機器からの操作可能範囲を問い合わせる。そしてそのレスポンスに応じて操作可能なコマンドを送信する通信制御方法である（例えば、特許文献１参照）。
【特許文献１】特開２０００−２８７１１９号公報
【発明の開示】
【発明が解決しようとする課題】
【０００５】
しかしながら、上記従来の投影機器では、前述のように起動に時間がかかるため、電源投入後の映像表示が開始されるまでの間において、映像入力装置から映像データが送られることがあると、その映像データに基づく映像は投影機器によって表示が行われない。そのため、投影機器のユーザは、電源投入直後の再生映像を見落としてしまうという問題があった。
【０００６】
また、上記従来の通信制御方法では、投影機器の起動時において投影機器が、接続映像入力装置の操作可能範囲を問い合わせ、操作可能なコマンドを送信することが行われている。しかし、こうしたコマンド送信は、起動時の投影機器における映像表示が可能な状態に合わせて行われることはなく、映像表示が未だ不可能な状態時に再生指示コマンドが送信されてしまう可能性があった。その場合、映像入力装置から映像データが送られ、投影機器では表示が行われないという事態が発生する。
【０００７】
本発明はこのような問題点に鑑みてなされたものであって、例えば、光源からの光の供給を開始させるための指示が入力されてから起動時間が経過するまでの期間に、当該外部機器から映像出力装置への映像データの送信を停止させるための信号を当該外部機器に送信するための制御を行えるようにすることを目的とする。
【課題を解決するための手段】
【０００８】
本発明に係る映像出力装置は、映像出力装置であって、外部機器から送信された映像データを受信する受信手段と、前記受信手段によって受信された映像データに対応する映像を出力する出力手段と、光源から前記出力手段への光の供給を開始させるための指示が入力されてから起動時間が経過するまでの期間に、前記外部機器から前記映像出力装置への映像データの送信を停止させるための信号を前記外部機器に送信するための制御を行い、前記期間が経過した後に、前記外部機器から前記映像出力装置への映像データの送信を開始させるための信号を前記外部機器に送信するための制御を行う制御手段とを有し、前記外部機器から前記映像出力装置への映像データの送信が行われている場合に、前記映像出力装置に映像データを送信する機器を前記外部機器から他の機器に切り替えるための指示が入力された場合、前記制御手段は、前記外部機器から前記映像出力装置への映像データの送信を停止させるための信号を前記外部機器に送信するための制御と、前記他の機器から前記映像出力装置への映像データの送信を開始させるための信号を前記他の機器に送信するための制御とを行うことを特徴とする。
【発明の効果】
【０００９】
本発明によれば、例えば、光源からの光の供給を開始させるための指示が入力されてから起動時間が経過するまでの期間に、当該外部機器から映像出力装置への映像データの送信を停止させるための信号を当該外部機器に送信するための制御を行うことができる。
【発明を実施するための最良の形態】
【００１０】
以下、本発明を実施するための最良の形態について、図面を参照して説明する。
【００１１】
〔第１の実施の形態〕
図１は、本発明の第１の実施の形態に係る映像表示装置を含むネットワークの構成を示す図である。ここでは、上記の映像表示装置は液晶プロジェクタである。
【００１２】
図１において１００１は液晶プロジェクタであり、１００２は、撮影を行うとともに、テープ媒体を用いて映像を録画再生可能なビデオカメラである。１００３は、ビデオカメラ１００２と液晶プロジェクタ１００１とを接続するＩＥＥＥ１３９４ケーブルである。１００４は、テープ媒体を再生することの可能なビデオデッキである。１００６は、ビデオデッキ１００４と液晶プロジェクタ１００１とを接続するＩＥＥＥ１３９４ケーブルである。１００５は、液晶プロジェクタ１００１の映し出す映像を表示するためのスクリーンである。
【００１３】
ビデオカメラ１００２またはビデオデッキ１００４から入力された映像データは、液晶プロジェクタ１００１によって拡大されてスクリーン１００５に映し出される。
【００１４】
なお、液晶プロジェクタ１００１に接続されるＩＥＥＥ１３９４ケーブル１００３，１００６では、ビデオカメラ１００２やビデオデッキ１００４に記録されている映像データの送受信を行う。この際の通信は、ＩＥＥＥ１３９４規格に定められたコマンドや音声、映像の送受信方法に則って行われる。
【００１５】
図２は、液晶プロジェクタ１００１の内部構成を示すブロック図である。
【００１６】
図２において２００１は光源としてのランプであり、２００２は、ランプ２００１から送られた光の通過を調節する液晶板である。２００３は、液晶板２００２を通過した光をスクリーン１００５に投影するためのレンズであり、レンズ２００３は、手動または外部機器からの制御により焦点調節が行われ得る。２００４は制御部であり、映像データに応じて液晶板２００２の光通過を２次元的に制御する。また制御部２００４は、外部機器からの入力データに応じて液晶プロジェクタ１００１の各部に対して制御を行うとともに、液晶プロジェクタ１００１内部の状態を監視して各部に対して制御を行う。２００５は、外部機器との通信を行うためのインタフェース部であり、インタフェース部２００５は、ＩＥＥＥ１３９４のデータを送受信するためのネゴシエーションを行う機能を持つ。
【００１７】
また、ここでは図示しないが、液晶プロジェクタ１００１はユーザ操作を受け付けるための操作部を有する。ユーザは操作部を操作することで、液晶プロジェクタ１００１に種々の処理を実行させるよう指示を行うことが可能である。
【００１８】
なお、操作部は別途リモコンなどの別の機器に用意し、液晶プロジェクタ１００１にはリモコンなどからの操作信号を受け付けるための操作信号受信部を設けてもよい。
【００１９】
次に、映像入力待機状態にある液晶プロジェクタ１００１の動作を説明する。この映像入力待機状態とは、液晶プロジェクタ１００１に電源が投入されてから既に起動時間（詳細は後述）が経過しており、映像データが入力されれば、いつでもスクリーン１００５に映像投射を行える液晶プロジェクタ１００１の状態をいう。
【００２０】
液晶プロジェクタ１００１にＩＥＥＥ１３９４ケーブル１００３が接続されると、ビデオカメラ１００２の電源が投入済みであれば、インタフェース部２００５が、ＩＥＥＥ１３９４ケーブル１００３の接続をコネクタ接点の電圧の変化により検知する。そしてインタフェース部２００５は、ＩＥＥＥ１３９４のプロトコルに従い、接続機器であるビデオカメラ１００２との間でネゴシエーション処理を行う。ネゴシエーション終了後、映像データが、ビデオカメラ１００２からインタフェース部２００５を介して液晶プロジェクタ１００１に入力される。この映像データが制御部２００４で検知されると、制御部２００４は、液晶板２００２に対して映像表示を行うための制御電圧を出力する。これにより、液晶板２００２では制御電圧に応じて液晶分子の向きが変化して、光の透過率が増減され、その結果、ランプ２００１からの光の通過が２次元的に調整される。こうして映像データに応じて２次元的に調整された光が、レンズ２００３を通してスクリーン１００５へ投影され、スクリーン１００５に映像が表示される。
【００２１】
一方、液晶プロジェクタ１００１に電源が投入されてから未だ起動時間が経過し終えていないときは、液晶プロジェクタ１００１の動作が上記と異なる。これを、図３を参照して説明する。
【００２２】
図３は、液晶プロジェクタ１００１に電源が投入されてから起動時間が経過し終えるまでの期間における液晶プロジェクタ１００１の動作手順を示すフローチャートである。
【００２３】
ユーザ操作により液晶プロジェクタ１００１の電源投入ボタンが押下されると（Ｓ３００１）、液晶プロジェクタ１００１の内部装置や制御プログラムの初期化処理が行われる（Ｓ３００２）。この初期化時に、インタフェース部２００５でのネゴシエーション処理も行われ、外部接続機器との通信を開始できる状態に移行する。内部装置の初期化が完了するとすぐに、ランプ２００１の電源をオンにする（Ｓ３００３）。
【００２４】
制御部２００４は起動時間を見積もる（Ｓ３００４）。起動時間とは、ランプ２００１の電源がオンになった時点から、ランプ２００１が安定した光を供給可能になって、液晶プロジェクタ１００１が外部接続機器からの映像データに基づき映像表示を行える状態になる時点までの時間である。すなわち、この起動時間中の液晶プロジェクタは起動中の状態にある。得られた起動時間は、スクリーン１００５に表示される。  起動時間の経過中に制御部２００４は、インタフェース部２００５を介して、電源オン済の外部接続機器が存在するか否かを確認し（Ｓ３００５）、存在するならばステップＳ３００６へ進み、存在しなければステップＳ３００７へ進む。
【００２５】
ステップＳ３００７では、電力の無駄な消費を抑えるための、いわゆる消費電力モードのような待機状態へ移行する。この待機状態から通常状態への移行は、液晶プロジェクタ１００１に対してユーザからの操作が行われるか、または液晶プロジェクタ１００１に対して外部機器が接続されたことが検知されるかすることによって発生する。
【００２６】
ステップＳ３００６では、制御部２００４が、インタフェース部２００５を介して外部接続機器に対して機器情報を問い合わせる。この機器情報の問い合わせの結果、外部接続機器が映像入力機器であればステップＳ３００８へ進み、一方、外部接続機器が、液晶プロジェクタ１００１から制御することのできない制御不能機器であればステップＳ３００９へ進む。
【００２７】
ステップＳ３００９では、入力待ち受け状態へ移行し、映像を液晶プロジェクタ１００１へ入力することのできる機器が接続されるまで待機する。
【００２８】
ステップＳ３００８では、制御部２００４が、インタフェース部２００５を介して映像入力機器の状態を問い合わせる。そしてステップ３０１０において、制御部２００４が、映像入力機器の状態を確認し、一時停止コマンドをインタフェース部２００５を介して映像入力機器に対して送信する。この一時停止コマンドは、液晶プロジェクタ１００１が映像表示可能な状態になるまで、液晶プロジェクタ１００１に対して映像データを入力しないように要求するコマンドである。これにより、液晶プロジェクタ１００１に接続されているビデオカメラ１００２のような映像入力機器が、ＩＥＥＥ１３９４ケーブル１００３を介して映像データを送信しなくなる。
【００２９】
制御部２００４は、液晶プロジェクタ１００１が映像表示可能な状態になるまで待機し（Ｓ３０１１でＮＯ）、映像表示が可能な状態になると（Ｓ３０１１でＹＥＳ）ステップＳ３０１２へ進む。
【００３０】
ステップＳ３０１２では、制御部２００４が、インタフェース部２００５を介して映像入力機器に対して再生コマンドを送信し、映像入力機器に、一時停止コマンドが送られた時点で一時停止した個所から映像データの再生を再開させる。
【００３１】
このように、液晶プロジェクタ１００１から映像入力機器としてのビデオカメラ１００２に一時停止コマンドや再生コマンドが送信され、液晶プロジェクタ１００１がビデオカメラ１００２の動作を制御することが行われる。
【００３２】
かくして、液晶プロジェクタ１００１が映像表示を行うことが不可能な起動時間帯に、外部接続機器であるビデオカメラ１００２から映像データが送信されることを防止でき、液晶プロジェクタ１００１のユーザが映像を見落とすことを回避できる。
【００３３】
次に、液晶プロジェクタ１００１に複数の外部機器が接続されていて、第１の外部機器が映像データを液晶プロジェクタ１００１に出力しているときに、第１の外部機器から第２の外部機器に切り替える場合を説明する。
【００３４】
図４は、映像データを液晶プロジェクタ１００１に出力すべき機器を第１の外部機器から第２の外部機器に切り替える場合における液晶プロジェクタ１００１の動作を示すフローチャートである。
【００３５】
なお、ここでは図１に示すように、映像入力機器であるビデオカメラ１００２とビデオデッキ１００４とが液晶プロジェクタ１００１に接続されている。ここでは、ビデオカメラ１００２が上記の第１の外部機器であり、ビデオデッキ１００４が上記の第２の外部機器であるものとする。液晶プロジェクタ１００１に電源が投入されて起動時間が経過し終わっていることは勿論、両映像入力機器にも電源が投入されて映像データを液晶プロジェクタ１００１に出力することが可能な状態になっているものとする。
【００３６】
ユーザによって切替ボタンが押下されると（Ｓ４００１）、制御部２００４はインタフェース部２００５に対して、液晶プロジェクタ１００１に接続されている外部機器の数を調べさせる（Ｓ４００２）。その結果、液晶プロジェクタ１００１に接続された外部機器の数が０であればステップＳ４００３へ進み、１つであればステップＳ４００４へ進み、２つ以上であればステップＳ４００６へ進む。上記の例であれば、外部機器の数は２つであるから、ステップＳ４００６へ進むことになる。
【００３７】
ステップＳ４００３では、映像データを液晶プロジェクタ１００１に出力する外部機器が存在しないため、電力消費を抑えるための消費電力モードのような待機状態へと移行する。
【００３８】
ステップＳ４００４では、映像データを液晶プロジェクタ１００１に出力する外部機器が１つのみ接続されていて、切り替えボタンが押下されても、新たに映像データを出力する外部機器が存在しない。そのため、制御部２００４が、インタフェース部２００５を介して、現在、映像データを出力している外部機器に対して状態を問い合わせる（Ｓ４００４）。そして、該外部機器に一時停止コマンドを送信して該外部機器で映像データの再生が進んでしまわないようにする（Ｓ４００５）。
【００３９】
上記の例に相当するステップＳ４００６では、制御部２００４が、インタフェース部２００５を介して、第２の外部機器であるビデオデッキ１００４の状態を問い合わせ、得られたビデオデッキ１００４の状態情報を記憶する（Ｓ４００６）。同時に制御部２００４は、第１の外部機器であるビデオカメラ１００２の状態を問い合わせ、得られたビデオカメラ１００２の状態情報を記憶する（Ｓ４００７）。
【００４０】
次に、制御部２００４が、インタフェース部２００５を介して、第２の外部機器であるビデオデッキ１００４に対して再生コマンドを送信して再生を開始させる（Ｓ４００８）。その直後に、映像データを液晶プロジェクタ１００１に出力すべき機器を第１の外部機器（ビデオカメラ１００２）から第２の外部機器（ビデオデッキ１００４）に切り替える（Ｓ４００９）。その後、制御部２００４が、インタフェース部２００５を介して、第１の外部機器であるビデオカメラ１００２に一時停止コマンドを送信し、映像の再生を一時中断させる（Ｓ４０１０）。そして、制御部２００４は、記憶している外部機器の状態を更新し、第１の外部機器であるビデオカメラ１００２の状態を一時停止とする。
【００４１】
その後、制御部２００４は、液晶プロジェクタ１００１での表示切替処理を行う（Ｓ４０１１）。
【００４２】
これにより、切替ボタン押下に同期してビデオカメラ１００２及びビデオデッキ１００４での各テープの再生位置が制御され、液晶プロジェクタ１００１のユーザが視聴していない間にテープの再生が進むことを防止することができる。
【００４３】
最後に、液晶プロジェクタ１００１の電源切断ボタンが押下された場合における液晶プロジェクタ１００１の動作を、図５を参照して説明する。
【００４４】
図５は、電源切断ボタンが押下された場合における液晶プロジェクタ１００１の動作手順を示すフローチャートである。
【００４５】
液晶プロジェクタ１００１の電源切断ボタンがユーザによって押下されると（Ｓ５００１）、制御部２００４は、インタフェース部２００５に対して外部接続機器があるか否かを確認させる（Ｓ５００２）。外部接続機器が存在する場合にはステップＳ５００３へ進み、存在しない場合にはステップＳ５００７へ進む。
【００４６】
ステップＳ５００３では、制御部２００４は、インタフェース部２００５を介して外部接続機器の状態を問い合わせる。その結果、外部接続機器が再生中または一時停止中であるか否かを判別し（Ｓ５００４）、再生中または一時停止中であるならばステップＳ５００５へ進み、再生中でも一時停止中でもなければステップＳ５００６へ進む。なお、一時停止中とは、液晶プロジェクタ１００１が映像を表示できない状態にあったため液晶プロジェクタ１００１から一時停止コマンドを受けていた外部接続機器の状態である。
【００４７】
ステップＳ５００５では、制御部２００４が、再生中または一時停止中にある外部接続機器に対して停止コマンドを送信し、再生を完全に停止するように指示を出す。
【００４８】
またステップＳ５００６では、外部接続機器がすでに再生を終了して、テープが終端まで行っている状態である可能性があり、この場合には、制御部２００４が巻き戻しコマンドを外部接続機器に送信し、再生位置を初期の状態に戻す処理を行う。
【００４９】
次のステップＳ５００７では、制御部２００４が、ランプ２００１、液晶板２００２、レンズ２００３、インタフェース部２００５に対して終了処理を指示し、電源切断モードに入る。
【００５０】
このようにして、第１の実施の形態では、液晶プロジェクタ１００１の電源投入時から電源切断時まで、液晶プロジェクタ１００１が外部映像入力機器の動作を制御することができる。そのため、液晶プロジェクタ１００１のユーザは、外部映像入力機器から出力され、液晶プロジェクタ１００１によってスクリーン１００５に投影された映像を、どのシーンも見逃すことなく再生することが可能となる。
【００５１】
なお、第１の実施の形態では、液晶プロジェクタ１００１と外部映像入力機器とを接続するデジタルインタフェースとしてＩＥＥＥ１３９４を用いた。本発明ではこれに代わって、Ｅｔｈｅｒｎｅｔ（登録商標）やＩＥＥＥ８０２．３、電灯線もしくはＵＳＢなどの映像データとコマンドとを送受信可能な有線デジタルインタフェースを用いるようにしてもよい。
【００５２】
また、第１の実施の形態では、液晶プロジェクタの動作として、電源投入時の動作、電源切断時の動作、および入力系統切替時の動作を説明しているが、つぎのような場合の動作を加えるようにしてもよい。すなわち、液晶プロジェクタ内部のレンズ破損時やランプ切れ時などの内部エラー発生時の動作、物理的障害発生時などの緊急時の動作、ユーザ操作による表示位置の変更時もしくは設定項目変更による一時的な表示不可能な状態の発生時の動作である。こうした場合の液晶プロジェクタの動作においても、上記と同様に、外部映像入力機器にコマンドを送信して映像の出力を制御することで、機器からの映像を見逃すことなく表示することが可能である。
【００５３】
更に、第１の実施の形態では液晶プロジェクタを例に挙げて説明を行ったが、本発明は、液晶プロジェクタに限定されず、映像を表示することが可能な装置であれば、適用することが可能である。
【００５４】
〔第２の実施の形態〕
図６は、本発明の第２の実施の形態に係る映像表示装置を含むネットワークの構成を示す図である。ここでも、上記の映像表示装置は液晶プロジェクタである。
【００５５】
図６において６００１は液晶プロジェクタであり、６００２は、撮影を行うとともに、テープ媒体を用いて映像を録画再生可能なビデオカメラである。６００３は、テープ媒体を再生することの可能なビデオデッキである。６００４はアクセスポイントであり、液晶プロジェクタ６００１とビデオカメラ６００２とビデオデッキ６００３とは、アクセスポイント６００４を介して無線ＬＡＮによって互いに通信する。６００５は、液晶プロジェクタ６００１が映像を投射するためのスクリーンである。
【００５６】
第２の実施の形態では、アクセスポイント６００４を介して、液晶プロジェクタ６００１とビデオカメラ６００２及びビデオデッキ６００３とが無線ＬＡＮインタフェースでネットワークを構成している。この無線ＬＡＮインタフェースは、ＩＥＥＥ８０２．１１ｇに代表されるような高速伝送可能なデータ送受信インタフェースである。この無線ＬＡＮインタフェースでは、相互にコマンドや映像データの送受信を行える。
【００５７】
また、液晶プロジェクタ６００１、ビデオカメラ６００２、及びビデオデッキ６００３はそれぞれ、ＤＬＮＡの規格（Home Networked Device Interoperability Guidelines v1.0）に準拠したＵＰｎＰ（登録商標）（Universal Plug and Play）デバイスである。ビデオカメラ６００２及びビデオデッキ６００３は、ＤＬＮＡ内のデジタルメディアサーバ（Digital Media Server、以下「ＤＭＳ」と呼ぶ）としてネットワーク内に存在する。液晶プロジェクタ６００１は、ＤＬＮＡ内のデジタルメディアプレイヤ（Digital Media Player、以下「ＤＭＰ」と呼ぶ）としてネットワーク内に存在する。
【００５８】
液晶プロジェクタ６００１の内部構成は、図２に示す第１の実施の形態における液晶プロジェクタ１００１の内部構成と同じであり、以下の説明では、図２に示す構成を用いて説明する。
【００５９】
図７は、液晶プロジェクタ６００１に電源が投入されてから起動時間が経過し終えるまでの期間における液晶プロジェクタ１００１の動作手順を示すフローチャートである。
【００６０】
図７において、まず液晶プロジェクタ６００１の電源投入ボタンが押下されると（Ｓ７００１）、液晶プロジェクタ６００１内部の初期化処理を行い（Ｓ７００２）、取分け、ランプ２００１を点灯する。このランプ２００１が安定した光を出力することが可能になるまでの間に、制御部２００４は、インタフェース部２００５に対して、アクセスポイント６００４との間で無線接続を確立するように指示する（Ｓ７００３）。
【００６１】
この無線接続が確立された後、液晶プロジェクタ６００１はＤＭＰとしての機能を初期化し、ネットワーク内のデバイスに対して、ＤＭＳが存在するか否かを調べるべく、ＵＰｎＰのＭ−Ｓｅａｒｃｈリクエストをマルチキャストによって出力する（Ｓ７００４）。このＭ−Ｓｅａｒｃｈリクエストは、プロトコルＳＳＤＰ（Single Service Discovery Protocol）に則って出力されるＤＭＳ検索リクエストである。このＭ−Ｓｅａｒｃｈリクエストを受信したＤＭＳは、プロトコルＳＳＤＰに従ってレスポンスを液晶プロジェクタ６００１（ＤＭＰ）に返す。このレスポンスの受信によって、液晶プロジェクタ６００１（ＤＭＰ）は、ネットワーク内にＤＭＳが存在することを認識する。ＤＭＳが存在する場合（発見）にはステップＳ７００５に進み、ＤＭＳが存在しない場合（未発見）にはステップＳ７０１０に進む。
【００６２】
上記レスポンスを受信した液晶プロジェクタ６００１（ＤＭＰ）は、レスポンスのあった各ＤＭＳに対してＸＭＬ（Extensible Makeup Language）で記述されたディスクリプションファイルを送信するように求める要求を送信する。このディスクリプションファイルには、ＤＭＳが持つ機能が記述されているので、返信されたディスクリプションファイルを基に、液晶プロジェクタ６００１（ＤＭＰ）は、ＤＭＳ内のコンテンツ情報を送信する機能を選択して利用する。具体的には、液晶プロジェクタ６００１（ＤＭＰ）は、ＵＰｎＰで規定されたコンテンツディレクトリサービスを利用して、各ＤＭＳが持つコンテンツの種類と内容についての情報を獲得すべく、各ＤＭＳに対して問い合わせを行う（Ｓ７００５）。
【００６３】
この問い合わせに対する各ＤＭＳからの返信に基づき、液晶プロジェクタ６００１の制御部２００４は、各ＤＭＳの持っているコンテンツのうち、自機器で再生表示可能な映像データを選択する。そして再生表示順序に応じて映像データ名を並べたプレイリストを作成する（Ｓ７００６）。このプレイリストでは、各映像データを保持するＤＭＳの識別名も記録される。
【００６４】
つぎに、制御部２００４は、各ＤＭＳに対して状態を尋ね、一時停止コマンドを送信する（Ｓ７００７）。各ＤＭＳであるビデオカメラ６００２やビデオデッキ６００３は、液晶プロジェクタ６００１から送信される一時停止コマンドに応じて、もし自機器がテープ再生状態であれば一時停止状態へ移行させる。
【００６５】
その後、制御部２００４が、ランプ２００１及びレンズ２００３の状態を監視して、液晶プロジェクタ６００１において映像を表示することが可能な状態になるまで待機する（Ｓ７００８でＮＯ）。そして、映像表示可能な状態になると（Ｓ７００８でＹＥＳ）、制御部２００４は、プレイリストに従い、インタフェース部２００５を介してＤＭＳに再生コマンドを送信する（Ｓ７００９）。すなわち、再生コマンドは、プレイリストにおける映像データの再生表示順序に従って該当のＤＭＳに対して送信される。
【００６６】
例えば、プレイリスト内にビデオカメラ６００２のコンテンツ再生が指示されていれば、ビデオカメラ６００２に対して液晶プロジェクタ６００１から再生コマンドが送信され、一方、ビデオデッキ６００３は一時停止状態のまま待機する。
【００６７】
なおステップＳ７０１０では、液晶プロジェクタ６００１が、電力消費を抑えるために省電力モードのような待機状態へと移行する。
【００６８】
このようにして、液晶プロジェクタ６００１が映像表示を行うことが不可能な時間帯に、外部接続機器であるＤＭＳにおいて映像再生が進んでしまい、その結果、液晶プロジェクタ６００１のユーザがその映像部分を見逃してしまうという事態を回避することができる。
【００６９】
なお、液晶プロジェクタ６００１での映像入力系統の切替時には、プレイリストに示されている次再生予定のコンテンツをもつＤＭＳに対して再生を指示し、同時に、現在再生中のＤＭＳに対して一時停止コマンドを送信する。これにより、現在再生中のＤＭＳにおいてテープ媒体の再生が進行してしまい、該ＤＭＳにおいて再生を再開したときに、液晶プロジェクタ６００１での映像表示漏れが発生するという事態を回避することができる。
【００７０】
また、液晶プロジェクタ６００１の電源切断時には、液晶プロジェクタ６００１が、各ＤＭＳに対して停止コマンドを送信して各ＤＭＳの一時停止状態を解除し、その後にＤＭＰとしての終了処理に入る。この処理によって、ネットワーク内に存在する他のＤＭＰからもＤＭＳへの制御が可能となり、各機器の状態に応じて映像表示を制御することができるようになる。
【００７１】
また、第２の実施の形態では、液晶プロジェクタ６００１（ＤＭＰ）とビデオカメラ６００２およびビデオデッキ６００３（ＤＭＳ）とを接続するインタフェースとしてＩＥＥＥ８０２．１１ｇ準拠の無線ＬＡＮインタフェースを用いている。しかし、これに代わって、他のＩＥＥＥ８０２．１１系に準拠したインタフェース、例えばUltra Wide Band、Bluetooth、Wireless USB などの、映像データとコマンドとを送受信可能な無線デジタルインタフェースを用いてもよい。
【００７２】
また、第２の実施の形態では、液晶プロジェクタの動作として、電源投入時の動作、電源切断時の動作、および入力系統切替時の動作を説明しているが、次のような場合の動作を加えるようにしてもよい。すなわち、液晶プロジェクタ内部のレンズ破損時やランプ切れ時などの内部エラー発生時の動作、物理的障害発生時などの緊急時の動作、ユーザ操作による表示位置の変更時もしくは設定項目変更による一時的な表示不可能な状態の発生時の動作である。こうした場合の液晶プロジェクタの動作においても、上記と同様に、外部映像入力機器にコマンドを送信して映像の出力を制御することで、機器からの映像を見逃すことなく表示することが可能である。
【００７３】
更に、第２の実施の形態では液晶プロジェクタを例に挙げて説明を行ったが、本発明は、液晶プロジェクタに限定されず、映像を表示することが可能な装置であれば、適用することが可能である。
【００７４】
〔他の実施の形態〕
前述した各実施の形態では、映像表示装置として液晶プロジェクタを例に挙げているが、これに代わって、映像表示装置は、表面電界ディスプレイ、液晶リアプロジェクタ、デジタルテレビであってもよい。いずれも、電源投入から実際に映像表示が行われるまでに一定の時間を要する装置である。
【００７５】
また、各実施の形態では、外部映像入力機器（外部接続装置）としてデジタルビデオカメラやビデオデッキを例に挙げているが、これに代わって、ＤＶＤプレーヤであってもよい。
【００７６】
また、本発明の目的は、コンピュータ（またはＣＰＵやＭＰＵ等）が記憶媒体に格納された各実施の形態の機能を実現するプログラムコードを読み出し実行することによっても達成される。
【００７７】
この場合、記憶媒体から読み出されたプログラムコード自体が前述した各実施の形態の機能を実現することになり、そのプログラムコード及び該プログラムコードを記憶した記憶媒体は本発明を構成することになる。
【００７８】
また、プログラムコードを供給するための記憶媒体としては、例えば、フハードディスク、光ディスク、磁気テープ、不揮発性のメモリカード、ＲＯＭ等を用いることができる。または、プログラムコードをネットワークを介してダウンロードしてもよい。
【００７９】
また、プログラムコードの指示に基づき、コンピュータ上で稼動しているＯＳ（オペレーティングシステム）等が実際の処理の一部または全部を行う場合も含まれる。
【００８０】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【図面の簡単な説明】
【００８１】
【図１】本発明の第１の実施の形態に係る映像表示装置を含むネットワークの構成を示す図である。
【図２】液晶プロジェクタの内部構成を示すブロック図である。
【図３】液晶プロジェクタに電源が投入されてから起動時間が経過し終えるまでの期間における液晶プロジェクタの動作手順を示すフローチャートである。
【図４】映像データを液晶プロジェクタに出力すべき機器を第１の外部機器から第２の外部機器に切り替える場合における液晶プロジェクタの動作を示すフローチャートである。
【図５】電源切断ボタンが押下された場合における液晶プロジェクタの動作手順を示すフローチャートである。
【図６】本発明の第２の実施の形態に係る映像表示装置を含むネットワークの構成を示す図である。
【図７】液晶プロジェクタに電源が投入されてから起動時間が経過し終えるまでの期間における液晶プロジェクタの動作手順を示すフローチャートである。
【符号の説明】
【００８２】
１００１：液晶プロジェクタ
１００２：ビデオカメラ
１００３：ＩＥＥＥ１３９４ケーブル
１００４：ビデオデッキ
１００５：スクリーン
１００６：ＩＥＥＥ１３９４ケーブル
２００１：ランプ
２００２：液晶板
２００３：レンズ
２００４：制御部
２００５：インタフェース部
６００１：液晶プロジェクタ
６００２：ビデオカメラ
６００３：ビデオデッキ
６００４：アクセスポイント
６００５：スクリーン
【図１】
0005483794.tif 000002
【図２】
0005483794.tif 000003
【図３】
0005483794.tif 000004
【図４】
0005483794.tif 000005
【図５】
0005483794.tif 000006
【図６】
0005483794.tif 000007
【図７】
0005483794.tif 000008